(57)【要約】【課題】  通話時間を高い精度で予測すること。【解決手段】  携帯電話機は、イベントを登録するイベント登録部と、イベントに対応付けて通話時間を記憶する通話時間記憶部と、過去の第１の期間におけるイベントが登録された日の通話時間を算出する実績算出部（Ｓ２２）と、過去の第１の期間におけるイベントが登録された日の通話時間と、将来の第２の期間に属する日それぞれに割り当てられたイベントとに基づいて、第２の期間における通話時間を予測する予測部（Ｓ２５）と、を備える。【選択図】        図９
2009182664.tif 000002
【特許請求の範囲】
【請求項１】
イベントを登録するイベント登録手段と、
前記イベントに対応付けて通話時間を記憶する記憶手段と、
前記登録手段により登録されたイベントに基づいて通話時間を予測する予測手段と、を備え、
前記予測手段は、過去の第１の期間におけるイベントが登録された日の通話時間と将来の第２の期間に登録されたイベントとに基づいて前記第２の期間の通話時間を予測する、携帯通信装置。
【請求項２】
イベントを登録するイベント登録手段と、
過去の第１の期間におけるイベントが登録されていない日の通話時間を記憶する記憶手段と、
前記登録手段により登録されたイベントに基づいて通話時間を予測する予測手段と、を備え、
前記予測手段は、過去の第１の期間におけるイベントが登録されていない日の通話時間と将来の第２の期間におけるイベントが登録されていない日とに基づいて前記第２の期間の通話時間を予測する、携帯通信装置。
【請求項３】
前記予測手段は、前記第１の期間におけるイベントが登録された日の通話時間と前記第２の期間に登録されたイベントとに基づいて前記第２の期間の通話時間をさらに予測する、請求項２に記載の携帯通信装置。
【請求項４】
前記予測手段は、前記第１の期間におけるイベントが登録されていない平日の通話時間と将来の第２の期間におけるイベントが登録されていない平日とに基づいて前記第２の期間の平日の通話時間を予測し、
前記第１の期間におけるイベントが登録されていない休日の通話時間と前記第２の期間におけるイベントが登録されていない休日とに基づいて前記第２の期間の休日の通話時間を予測する、請求項２または３に記載の携帯通信装置。
【請求項５】
通話時間と通話料との関係を定義する複数の料金プランを含む料金体系を予め記憶する料金体系記憶手段と、
前記第２の期間における予測された通話時間に基づいて、前記複数の料金プランのうちから前記第２の期間における最も安価な料金プランを決定する決定手段と、
前記決定された料金プランを報知する報知手段と、を備えた請求項１〜４のいずれかに記載の携帯通信装置。
【請求項６】
所定の通話先の電話番号を記憶する番号記憶手段を、さらに備え、
前記予測手段は、前記記憶された電話番号に発信して通話する通話時間、および着信による通話時間を予測の基礎としない、請求項１〜５のいずれかに記載の携帯通信装置。
【請求項７】
イベントを登録するステップと、
前記イベントに対応付けて通話時間を記憶するステップと、
過去の第１の期間におけるイベントが登録された日の通話時間と将来の第２の期間に登録されたイベントとに基づいて前記第２の期間の通話時間を予測するステップと、を含む通話時間予測方法。
【請求項８】
イベントを登録するステップと、
過去の第１の期間におけるイベントが登録されていない日の通話時間を記憶するステップと、
過去の第１の期間におけるイベントが登録されていない日の通話時間と将来の第２の期間におけるイベントが登録されていない日とに基づいて通話時間を予測するステップと、を含む通話時間予測方法。
【請求項９】
イベントを登録するステップと、
前記イベントに対応付けて通話時間を記憶するステップと、
過去の第１の期間におけるイベントが登録された日の通話時間と将来の第２の期間に登録されたイベントとに基づいて前記第２の期間の通話時間を予測するステップと、をコンピュータに実行させる通話時間予測プログラム。
【請求項１０】
イベントを登録するステップと、
過去の第１の期間におけるイベントが登録されていない日の通話時間を記憶するステップと、
過去の第１の期間におけるイベントが登録されていない日の通話時間と将来の第２の期間におけるイベントが登録されていない日とに基づいて通話時間を予測するステップと、をコンピュータに実行させる通話時間予測プログラム。
【発明の詳細な説明】
【技術分野】
【０００１】
この発明は、携帯通信装置、通話時間予測装置および通話時間予測プログラムに関し、特に通話機能を備えた携帯通信装置、通話時間予測装置および通話時間予測プログラムに関する。
【背景技術】
【０００２】
携帯電話機で代表される携帯通信装置は、通話時間に応じて通信事業者により定められた料金体系に従って課金される。通常は、予め定められた通話時間までが無料になる固定料金と、予め定められた通話時間を越える通話時間に対して通話時間に比例する従量料金とで課金される。通信事業者によっては、固定料金および従量料金の算出の基になる単位時間あたりの通話料の組み合わせから種々の課金体系が準備されており、ユーザの選択の幅が広くなっている。
【０００３】
しかしながら、いずれの課金体系が適しているのかは、１月当たりに通話する時間によって定まる。このため、ユーザは、種々の課金体系のうちからいずれを選択するかは、これまでの経験から将来通話できるであろう時間を予測して選択している。
【０００４】
特開平０８−０３７５５１号公報（特許文献１）には、選択された通話サービスを利用してデータを送信するデータ通信装置において、各通話サービスの提供条件及び料金体系並びに通話実績記録を記憶する記憶手段と、前記記憶手段に記憶されたデータを用いて、前記通話実績に記録された通話を最も安い通話料金で実施できる前記通話サービスの組合せを選択する通話サービス選択手段と、前記通話サービス選択手段の選択した結果を提示する提示手段とを設けたことを特徴とするデータ通信装置が記載されている。。
【０００５】
しかしながら、通話実績に記録された通話を最も安い通話料金で実施できる通話サービスの組合せを選択するので、将来における通話が通話実績と同じであることを前提にしている。このため、将来における通話に対応するサービスの組み合わせを正確に選択することができないといった問題がある。
【特許文献１】特開平０８−０３７５５１号公報
【発明の開示】
【発明が解決しようとする課題】
【０００６】
この発明は上述した問題点を解決するためになされたもので、この発明の目的の１つは、通話時間を高い精度で予測することが可能な携帯通信装置を提供することである。
【０００７】
この発明の他の目的は、通話時間を高い精度で予測することが可能な通話時間予測方法を提供することである。
【０００８】
この発明のさらに他の目的は、通話時間を高い精度で予測することが可能な通話時間予測プログラムを提供することである。
【課題を解決するための手段】
【０００９】
上述した目的を達成するために、この発明のある局面によれば、携帯通信装置は、イベントを登録するイベント登録手段と、イベントに対応付けて通話時間を記憶する記憶手段と、登録手段により登録されたイベントに基づいて通話時間を予測する予測手段と、を備え、予測手段は、過去の第１の期間におけるイベントが登録された日の通話時間と将来の第２の期間に登録されたイベントとに基づいて第２の期間の通話時間を予測する。
【００１０】
この局面に従えば、過去の第１の期間におけるイベントが登録された日の通話時間と将来の第２の期間に登録されたイベントとに基づいて第２の期間の通話時間が予測される。このため、過去の実績と、将来の予定とに基づいて将来の通話時間が予測されるので、通話時間を高い精度で予測することが可能な携帯通信装置を提供することができる。
【００１１】
この発明の他の局面によれば、携帯通信装置は、イベントを登録するイベント登録手段と、過去の第１の期間におけるイベントが登録されていない日の通話時間を記憶する記憶手段と、登録手段により登録されたイベントに基づいて通話時間を予測する予測手段と、を備え、予測手段は、過去の第１の期間におけるイベントが登録されていない日の通話時間と将来の第２の期間におけるイベントが登録されていない日とに基づいて第２の期間の通話時間を予測する。
【００１２】
この局面に従えば、過去の第１の期間におけるイベントが登録されていない日の通話時間と将来の第２の期間におけるイベントが登録されていない日とに基づいて第２の期間の通話時間が予測される。このため、過去の実績と、将来の予定とに基づいて将来の通話時間が予測されるので、通話時間を高い精度で予測することが可能な携帯通信装置を提供することができる。
【００１３】
好ましくは、予測手段は、第１の期間におけるイベントが登録された日の通話時間と第２の期間に登録されたイベントとに基づいて第２の期間の通話時間をさらに予測する。
【００１４】
好ましくは、予測手段は、第１の期間におけるイベントが登録されていない平日の通話時間と将来の第２の期間におけるイベントが登録されていない平日とに基づいて第２の期間の平日の通話時間を予測し、第１の期間におけるイベントが登録されていない休日の通話時間と第２の期間におけるイベントが登録されていない休日とに基づいて第２の期間の休日の通話時間を予測する。
【００１５】
好ましくは、通話時間と通話料との関係を定義する複数の料金プランを含む料金体系を予め記憶する料金体系記憶手段と、第２の期間における予測された通話時間に基づいて、複数の料金プランのうちから第２の期間における最も安価な料金プランを決定する決定手段と、決定された料金プランを報知する報知手段と、を備える。
【００１６】
この局面に従えば、第２の期間における通話時間に基づいて、通話時間と通話料との関係を定義する複数の料金プランのうちから最適な料金プランが決定され、報知される。このため、通話料金が最も安くなる料金プランを決定することができる。
【００１７】
好ましくは、所定の通話先の電話番号を記憶する番号記憶手段を、さらに備え、予測手段は、記憶された電話番号に発信して通話する通話時間、および着信による通話時間を予測の基礎としない。
【００１８】
この局面に従えば、所定の通信先の電話番号に発信して通話する通話時間、および着信による通話時間が予測の基礎とされないので、通話料金の課される通話時間に基づいて将来の通話時間が予測される。このため、通話時間を予測する精度を高くすることができる。
【００１９】
この発明のさらに他の局面によれば、通話時間予測方法は、イベントを登録するステップと、イベントに対応付けて通話時間を記憶するステップと、過去の第１の期間におけるイベントが登録された日の通話時間と将来の第２の期間に登録されたイベントとに基づいて第２の期間の通話時間を予測するステップと、を含む。
【００２０】
この局面に従えば、通話時間を高い精度で予測することが可能な通話時間予測方法を提供することができる。
【００２１】
この発明のさらに他の局面によれば、通話時間予測方法は、イベントを登録するステップと、過去の第１の期間におけるイベントが登録されていない日の通話時間を記憶するステップと、過去の第１の期間におけるイベントが登録されていない日の通話時間と将来の第２の期間におけるイベントが登録されていない日とに基づいて通話時間を予測するステップと、を含む。
【００２２】
この局面に従えば、通話時間を高い精度で予測することが可能な通話時間予測方法を提供することができる。
【００２３】
この発明のさらに他の局面によれば、通話時間予測プログラムは、イベントを登録するステップと、イベントに対応付けて通話時間を記憶するステップと、過去の第１の期間におけるイベントが登録された日の通話時間と将来の第２の期間に登録されたイベントとに基づいて第２の期間の通話時間を予測するステップと、をコンピュータに実行させる。
【００２４】
この局面に従えば、通話時間を高い精度で予測することが可能な通話時間予測プログラムを提供することができる。
【００２５】
この発明のさらに他の局面によれば、通話時間予測プログラムは、イベントを登録するステップと、過去の第１の期間におけるイベントが登録されていない日の通話時間を記憶するステップと、過去の第１の期間におけるイベントが登録されていない日の通話時間と将来の第２の期間におけるイベントが登録されていない日とに基づいて通話時間を予測するステップと、をコンピュータに実行させる。
【００２６】
この局面に従えば、通話時間を高い精度で予測することが可能な通話時間予測プログラムを提供することができる。
【発明を実施するための最良の形態】
【００２７】
以下、本発明の実施の形態について図面を参照して説明する。以下の説明では同一の部品には同一の符号を付してある。それらの名称および機能も同じである。したがってそれらについての詳細な説明は繰返さない。
【００２８】
図１は、本発明の実施の形態の１つにおける携帯電話機の外観を示す斜視図である。携帯電話機は、携帯通信装置の一例である。図１（Ａ）は、オープンスタイルの携帯電話機の外観を示し、図１（Ｂ）はクローズスタイルの携帯電話機の外観を示す。図１（Ａ）および図１（Ｂ）を参照して、携帯電話機１は、操作側部３と、表示側部２とを含む。
【００２９】
操作側部３は、電源キー１４Ａ、テンキーおよび通話キー等を含む操作キー１４と、マイクロフォン１３とが内側面に配置される。表示側部２は、液晶表示装置（ＬＣＤ）１５と、レシーバを構成する第１スピーカ１１と、カメラ２４とが内側面に配置され、小型ＬＣＤ１５Ａと、第２スピーカ１２とが外側面に配置される。
【００３０】
なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。
【００３１】
操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００３２】
図２は、本実施の形態における携帯電話機の機能の一例を示す機能ブロック図である。図２を参照して、携帯電話機１は、携帯電話機１の全体を制御するためのＣＰＵ２１と、アンテナ２２Ａと接続された通信回路２２と、音声データを処理するためのコーデック部２８と、それぞれがコーデック部２８に接続されたマイクロフォン１３、第１スピーカ１１および第２スピーカ１２と、カメラ２４と、ユーザの操作の入力を受付ける操作キー１４と、通信インターフェース（Ｉ／Ｆ）２６と、ＬＣＤ１５の表示を制御するための表示制御部３０と、ＣＰＵ２１で実行するためのプログラム、データおよびアプリケーションプログラム等を不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３１と、ＣＰＵ２１の作業領域として使用されるＲＡＭ（Ｒａｎｄｏｍ  Ａｃｃｅｓｓ  Ｍｅｍｏｒｙ）３３と、カードインターフェース（Ｉ／Ｆ）２７と、携帯電話機１の全体に電力を供給するためのバッテリ３５と、を含む。
【００３３】
通信回路２２は、携帯電話機１をネットワークに接続する。ネットワークは、ここでは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の通信方式のネットワークである。通信回路２２は、Ｗ−ＣＤＭＡのネットワークに接続された基地局装置と無線通信する。基地局装置が送信する無線信号は、アンテナ２２Ａにより受信される。第１の通信回路２２は、アンテナ２２Ａにより受信された無線信号が入力され、無線信号を復調した信号をＣＰＵ２１に出力する。無線信号を復調した信号が音声信号の場合、ＣＰＵ２１は、音声信号をコーデック部２８に出力する。
【００３４】
通信回路２２は、ＣＰＵ２１から送信信号が入力されると、その信号を変調した無線信号をアンテナ２２Ａに出力する。ＣＰＵ２１は、コーデック部２８から音声信号が入力されると、音声信号を第１の通信回路２２に出力する。アンテナ２２Ａから送信される無線信号は、Ｗ−ＣＤＭＡの基地局装置で受信される。
【００３５】
コーデック部２８は、ＣＰＵ２１から入力される音声信号を復号し、復号したデジタルの音声信号をアナログに変換し、増幅し、第１スピーカ１１または第２スピーカ１２に出力する。また、コーデック部２８は、マイクロフォン１３からアナログの音声信号が入力され、音声信号をデジタルに変換し、符号化し、そして符号化した音声信号をＣＰＵ２１に出力する。
【００３６】
表示制御部３０は、ＣＰＵ２１により制御され、ＣＰＵ２１から入力される指示に従ってＬＣＤ１５を制御して、ＬＣＤ１５に操作画面または画像を表示させる。ＬＣＤ１５に表示させる画像は、動画像と静止画像とを含む。また、表示制御部３０は、小型ＬＣＤ１５Ａを制御する。
【００３７】
カードＩ／Ｆ２７には、着脱可能なフラッシュメモリ２７Ａが装着される。ＣＰＵ２１は、カードＩ／Ｆ２７を介して、フラッシュメモリ２７Ａにアクセスが可能である。なお、ここではＣＰＵ２１が実行するためのプログラムをＥＥＰＲＯＭ３１に記憶しておく例を説明するが、プログラムをフラッシュメモリ２７Ａに記憶しておき、フラッシュメモリ２７Ａからプログラムを読み出して、ＣＰＵ２１が実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等でもよい。
【００３８】
また、携帯電話機１をインターネットに通信回路２２を介して接続し、インターネットに接続されたコンピュータからプログラムをダウンロードして、ＣＰＵ２１が実行するようにしてもよい。ここでいうプログラムは、ＣＰＵ２１が直接実行可能なプログラムだけでなく、ソースプログラム、圧縮処理されたプログラム、暗号化されたプログラム等を含む。
【００３９】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データをＣＰＵ２１に出力する。カメラ２４は、ＣＰＵ２１により制御され、ＣＰＵ２１からの指示により撮像を開始して、得られる静止画データまたは動画データをＣＰＵ２１に出力する。
【００４０】
通信Ｉ／Ｆ２６は、携帯電話機１をコンピュータと接続するためのインターフェースである。通信Ｉ／Ｆ２６は、シリアルインターフェースであってもよいし、パラレルインターフェースであってもよい。通信Ｉ／Ｆ２６に通信ケーブルを介して外部のコンピュータが接続されると、ＣＰＵ２１は外部のコンピュータと通信することが可能となる。
【００４１】
バッテリ３５は、リチウムポリマ電池、ニッカド電池またはニッケル水素電池等の二次電池であり、携帯電話機１の全体に電力を供給する。
【００４２】
図３は、携帯電話機が備える制御部の機能の概要をＥＥＰＲＯＭに記憶するデータとともに示す機能ブロック図である。図３を参照して、ＥＥＰＲＯＭ３１には、無料通話番号７５と、料金体系７７とが予め記憶される。
【００４３】
無料通話番号は、通信事業者に登録した相手先の電話番号が記憶される。ユーザが、操作キー１４を操作し、携帯電話機１を無料通話用の電話番号を登録する登録モードに設定し、電話番号を入力することにより、入力された電話番号が無料通話番号７５としてＥＥＰＲＯＭ３１に記憶される。料金体系７７は、通信事業者が提供する通話サービスの対価として予め定めた複数種類の料金プランである。料金プランそれぞれは、予め定められた通話時間までが無料になる固定料金と、予め定められた通話時間を越える通話時間に対して通話時間に比例する従量料金との組み合わせで構成される。料金体系は、固定料金の違い、および従量料金の算出の基になる単位時間当たりの通話料の違いから複数の料金プランを含む。料金体系７７は、通信回路２２を介して、通信事業者が所有または管理するコンピュータからダウンロードされてもよいし、ユーザが操作キー１４を操作して入力するようにしてもよい。
【００４４】
ＣＰＵ２１は、イベントを登録するイベント登録部５１と、通話時間を計測する通話時間計測部５３と、通話時間を記憶する通話時間記憶部５５と、通話実績を算出する実績算出部５７と、将来の通話時間を予測する予測部５９と、料金体系を決定する決定部６１と、を含む。
【００４５】
イベント登録部５１は、日別のイベントを登録する。イベントは、たとえば、出張、外出、旅行など、その日に予定されている行事、または実行された行事を含む。イベント登録部５１は、将来または過去の日のイベントを登録する。ユーザが、操作キー１４を操作して、イベントの登録要求を指示すれば、イベント登録部５１は、ＬＣＤ１５にカレンダーを表示する。ユーザが、カレンダーのうちからいずれかの日を選択すると、イベント登録部５１は、選択された日を受け付け、複数のイベント名を表示する。複数のイベント名は、ここでは、出張、外出、旅行としている。なお、登録するイベントは、これらに限定されることなく、１以上あればよい。さらに、ユーザがイベント名を登録することができるようにしてもよい。ユーザの行動は、ユーザによって異なるからである。イベントは、その日に携帯電話機１を使用する回数が多くなるイベントであることが望ましい。
【００４６】
ユーザがＬＣＤ１５に表示されたイベント名のうちからいずれか１つを選択すると、ＥＥＰＲＯＭ３１に記憶されているイベント情報７１を更新する。イベント情報７１は、年月日とイベントとを関連付けた複数のイベントレコードを含む。イベントレコードは、デフォルトでは、年月日とイベント名「なし」とが関連付けられている。ユーザがＬＣＤ１５に表示されたイベント名のうちからいずれか１つを選択すると、選択された日を含むイベントレコードのイベント名が選択されたイベント名で書き換えられる。
【００４７】
通話時間計測部５３は、通信回路２２が通話のための通信をするごとに通話時間を計測し、計測した時間を通話時間記憶部５５に出力する。通話時間記憶部５５は、通話時間計測部５３から通話時間が入力されると、その日の年月日と、通話時間と、通話の相手先の電話番号と、発信または着信の別と、を関連付けた実績レコードを生成し、ＥＥＰＲＯＭ３１に記憶されている通話実績７３に追加して記憶する。
【００４８】
図４は、実績レコードのフォーマットの一例を示す図である。図４を参照して、実績レコードは、通話年月日の項目と、通話時間の項目と、電話番号の項目と、区分の項目と、を含む。通話年月日の項目は、通話した年月日が設定され、通話時間の項目は、通話時間計測部５３により計測された通話時間が設定され、電話番号の項目は、通話の相手方の装置に割り当てられた電話番号が設定され、区分の項目は、発信による通話か着信による通話かの別が設定される。発信による通話の場合には「発信」が設定され、着信による通話の場合には「着信」が設定される。
【００４９】
図３に戻って、実績算出部５７は、所定のタイミングで基礎期間（第１の期間）における通話時間をイベントごとに算出する。所定のタイミングは、通話料金を算出する期間の末日であることが好ましい。ここでは、通話料金を算出する期間を、毎月１日から当月末までの期間とする場合について説明する。この場合、所定のタイミングは毎月末である。基礎期間は、所定のタイミングによって定まる予測期間（第２の期間）によって定まる。予測期間は、所定のタイミングの次に到来する通話料金を算出する期間である。予測期間は、ここでは所定のタイミングの属する月の翌月である。基礎期間は、予測期間に対応する過去の期間である。たとえば、予測期間の前月、または、予測期間の前年同月である。ここでは、基礎期間を、予測期間の前月とする場合を例に説明する。
【００５０】
実績算出部５７は、イベント情報７１を参照し、複数のイベントごとに基礎期間に含まれる日を分類する。具体的には、イベント名「出張」、「外出」、「旅行」および「なし」がそれぞれ割り当てられている日を特定する。そして、ＥＥＰＲＯＭ３１に記憶されている通話実績７３から、イベント名ごとに、通話年月日の項目に基礎期間に含まれる年月日が設定されており、区分の項目に「発信」が設定されており、かつ、電話番号の項目に無料通話番号７５に登録されていない電話番号が設定されている実績レコードを抽出する。すなわち、基礎期間に通話したうちで通信料が無料でない相手先の電話番号に発信した通話に対応する実績レコードのみをイベント名ごとに抽出する。なお、イベント名「なし」に関しては、土日祝祭日と、平日とを分けて実績レコードを抽出する。
【００５１】
そして、イベント名ごとに抽出された実績レコードの通話時間の項目に設定されている通話時間の合計を、イベント名が割り当てれられた日の日数で除算することにより、１日あたりの通話時間の平均を算出する。これにより、基礎期間におけるイベントごとの１日あたりの通話時間の平均が算出される。実績算出部５７は、イベントごとの通話時間の平均（以下「平均通話時間」という）を予測部５９に出力する。
【００５２】
予測部５９は、予測期間に含まれる日それぞれの通話時間を予測し、それらの合計を予測期間における通話時間として決定部６１に出力する。具体的には、予測期間に含まれる日を処理対象として抽出し、処理対象の日に関連付けられているイベント名をイベント情報７１から取得する。そして、実績算出部５７から入力されるイベントごとの平均通話時間のうちから、取得されたイベント名に対応する平均通話時間を処理対象の日に関連付ける。予測期間に含まれる日のすべてが、処理対象となれば、予測期間に含まれる日それぞれに平均通話時間が関連付けられる。イベント名「出張」に関連付けられている日は、イベント名「出張」に対応する平均通話時間が関連付けられ、イベント名「外出」に関連付けられている日は、イベント名「外出」に対応する平均通話時間が関連付けられ、イベント名「旅行」に関連付けられている日は、イベント名「旅行」に対応する平均通話時間が関連付けられる。イベント名「なし」に関連付けられている日は、土日祝祭日であればイベント名「なし」かつ土日祝祭日に対応する平均通話時間が関連付けられ、平日であればイベント名「なし」かつ平日に対応する平均通話時間が関連付けられる。予測部５９は、予測期間に含まれる日それぞれに関連付けられた平均通話時間の合計を、予測期間における通話時間として決定部６１に出力する。
【００５３】
なお、ここでは、実績算出部５７が基礎期間におけるイベントごとに平均通話時間を算出し、予測部５９が予測期間に含まれる日それぞれに関連付けられた平均通話時間の合計を、予測期間における通話時間として決定する例を示したが、予測部５９が予測期間における通話時間を決定する基礎とするのは、平均通話時間に限らず、基礎期間におけるイベントごとの１日あたりの通話時間であればよい。たとえば、基礎期間における同一イベントが割り当てられた複数の日それぞれの通話時間の最大値、中間値または最小値を、基礎期間におけるイベントごとの１日あたりの通話時間としてもよい。
【００５４】
決定部６１は、ＥＥＰＲＯＭ３１に記憶されている料金体系７７を読出し、料金体系７７に含まれる複数の料金プランのうちから最適な料金プランを決定する。そして、決定した料金プランが、それまで設定されていた料金プランと異なる場合、ＬＣＤ１５に料金プランを変更するか否かを問い合わせる問い合わせ画面を表示する。問い合わせ画面は、料金プランを変更すれば、通話料金が安くなることを通知するメッセージを含む。ユーザが操作キー１４を操作して変更指示を入力すれば、決定部６１は、決定した料金プランに変更する指示を、通信事業者が管理または所有するコンピュータに送信する。これにより、通信事業者が管理または所有するコンピュータにおいて、料金プランが変更される。
【００５５】
図５は、問い合わせ画面の一例を示す図である。図５を参照して、所定期間の通話時間「○○○分」と、予測期間の通話時間「□□□分」と、現在の料金プラン名「★★プラン」と、予想される通話料金の減額「△△△円」と、を含む。
【００５６】
図６は、料金体系の一例を示す図である。図６を参照して、料金体系７７は、料金プラン名「ＳＳ」、「Ｓ」、「Ｍ」、「Ｌ」および「ＬＬ」の５つの料金プランを含む。各料金プランは、固定料金である基本料金と、その基本料金で保障される無料通話分の額と、従量料金の算出の基になる単位時間あたりの通話料である通話単価と、無料通話時間とを含む。無料通話時間は、無料通話分を通話単価で除算した値である。除算した値が少数になる場合には、その商である。無料通話時間が通話時間より小さい１以上の料金プランのうちで、無料通話時間が最大の料金プランが、通話料金が最も安く、その通話時間に最適な料金プランである。
【００５７】
図７は、イベント登録処理の流れの一例を示すフローチャートである。イベント登録処理は、携帯電話機１が備えるＣＰＵ２１が通話時間予測プログラムを実行することにより、ＣＰＵ２１により実行される処理である。図７を参照して、ＣＰＵ２１は、カレンダーをＬＣＤ１５に表示する（ステップＳ０１）。そして、表示したカレンダーのうちから日の指定を受け付けたか否かを判断する（ステップＳ０２）。日の指定を受け付けるまで待機状態となり（ステップＳ０２でＮＯ）、日の指定を受け付けると（ステップＳ０２でＹＥＳ）、処理をステップＳ０３に進める。
【００５８】
ステップＳ０３においては、イベント名を列挙した選択画面を表示し、表示されたイベント名のいずれかを受け付ける。そして、イベントを登録する（ステップＳ０４）。具体的には、ＥＥＰＲＯＭ３１に記憶されているイベント情報７１に含まれる複数のイベントレコードのうち、指定された日を含むイベントレコードのイベント名が、受け付けられたイベント名で書き換えられる。そして、終了指示を受け付けたか否かを判断する（ステップＳ０５）。終了指示を受け付けたならば処理を終了するが、そうでなければ処理をステップＳ０２に戻す。
【００５９】
図８は、実績管理処理の流れの一例を示すフローチャートである。実績管理処理は、携帯電話機１が備えるＣＰＵ２１が通話時間予測プログラムを実行することにより、ＣＰＵ２１により実行される処理である。図８を参照して、ＣＰＵ２１は、通話が開始したか否かを判断する（ステップＳ１１）。通話が開始されるまで待機状態となり（ステップＳ１１でＮＯ）、通話が開始されると処理をステップＳ１２に進める。処理をステップＳ１２に進める場合、発信による通話または着信による通話のいずれであるかが検出される。
【００６０】
ステップＳ１２においては、通話先の電話番号を取得する。そして、通話が終了するまで待機状態となり（ステップＳ１３でＮＯ）、通話が終了すると（ステップＳ１３でＹＥＳ）、処理をステップＳ１５に進める。ステップＳ１４においては、通話時間を取得する。そして、年月日を取得する。さらに、実績レコードを生成し、ＥＥＰＲＯＭ３１の通話実績７３に追加して記憶する（ステップＳ１６）。実績レコードは、年月日と、通話時間と、相手先の電話番号と、発信または着信の区分と、を含む。
【００６１】
図９は、予測処理の流れの一例を示すフローチャートである。予測処理は、携帯電話機１が備えるＣＰＵ２１が通話時間予測プログラムを実行することにより、ＣＰＵ２１により実行される処理である。図９を参照して、所定のタイミングとなるまで待機状態となり（ステップＳ２０でＮＯ）、所定のタイミングになると処理をステップＳ２１に進める。したがって、ステップＳ２１以降の処理は、所定のタイミングになることを条件に実行される処理である。所定のタイミングは、予め定められたタイミングであり、通信事業者が定める通話のための料金の算出の基準となる期間の末日である。ここでは、月末としている。
【００６２】
ステップＳ２１においては、ＥＥＰＲＯＭ３１に記憶されている通話実績７３のうちから基礎期間の実績レコードを読み出す。具体的には、基礎期間に含まれる日が、通話年月日の項目に設定されている実績レコードを読み出す。ここでは、基礎期間は、所定のタイミングが属する月としている。
【００６３】
次に、イベントごとに１日あたりの平均通話時間を算出する。具体的には、イベント情報７１を参照して、基礎期間に属する日のうちからイベント名「出張」、「外出」、「旅行」および「なし」がそれぞれ割り当てられている日を特定し、イベント名ごとに、区分の項目に「発信」が設定されており、かつ、電話番号の項目に無料通話番号７５に登録されていない電話番号が設定されている実績レコードを抽出する。なお、イベント名「なし」に関しては、土日祝祭日と、平日とを分けて実績レコードを抽出する。そして、イベント名ごとに抽出された実績レコードの通話時間の項目に設定されている通話時間の合計を、イベント名が割り当てれられた日の日数で除算することにより、１日あたりの通話時間の平均を算出する。
【００６４】
次のステップＳ２３においては、ＥＥＰＲＯＭ３１に記憶されているイベント情報７１から予測期間のイベントレコードを読み出す。予測期間は、予測期間は、所定のタイミングの次に到来する通話料金を算出する期間である。ここでは予測期間は、基礎期間の翌月である。そして、予測期間に属する日それぞれに、ステップＳ２２において算出された平均通話時間のうちイベント名に対応する平均通話時間を関連付ける（ステップＳ２４）。そして、予測期間の通話時間を予測する（ステップＳ２５）。具体的には、予測期間に属する日それぞれに関連付けられた平均通話時間の合計を、予測期間の通話時間に決定する。
【００６５】
次に、ＥＥＰＲＯＭ３１に記憶されている料金体系７７を読出し（ステップＳ２６）、予測期間の通話時間に基づいて料金プランを決定する（ステップＳ２７）。無料通話時間が予測期間の通話時間より小さい料金プランのうち無料通話時間が最大の料金プランを決定する。
【００６６】
そして、決定された料金プランが、これまで設定されている料金プランと同じか否かを判断する（ステップＳ２８）。両料金プランが同じならば処理を就労するが、異なれば処理をステップＳ２９に進める。ステップＳ２９においては、ステップＳ２７において決定された料金プランを含む問い合わせ画面をＬＣＤ１５に表示する。そして、変更指示を受け付けたか否かを判断する（ステップＳ３０）。変更指示を受け付けたならば処理をステップＳ３１に進めるが、そうでなければ処理を終了する。
【００６７】
ステップＳ３１においては、料金プランをステップＳ２７において決定された料金プランに変更する指示を通信事業者に対して予め定められた送信先に送信する。そして、変更が認められたか否かを判断する（ステップＳ３２）。ステップＳ３１において送信された変更指示が通信事業者により受け付けたことを示す信号を受信するならば変更が認められたと判断する。変更が認められたならば処理をステップＳ３３に進め、そうでなければ処理をステップＳ３４に進める。
【００６８】
ステップＳ３３においては、料金プランが変更されたことを示すメッセージをＬＣＤ１５に表示し、処理を終了する。一方、ステップＳ３４においては、エラーメッセージをＬＣＤ１５に表示し、処理を終了する。
【００６９】
以上説明したように、本実施の形態における携帯電話機１は、日々の通話時間の累計を計時し、過去の基礎期間（第１の期間）における複数種類のイベントごとに１日当たりの平均の通話時間を算出し、複数種類のイベント毎に算出された平均通話時間と、将来の予測期間（第２の期間）における日々のイベントの種類とに基づいて、予測期間における通話時間を予測する。このため、過去の通話実績に基づいて将来の通話時間を予測するので、高い精度で通話時間を予測することができる。
【００７０】
また、予測期間における通話時間と、通話時間と通話料との関係を定義する料金体系とに基づいて、最適な料金プランを決定し、表示する。このため、通話実績に応じて最適な料金プランを決定することができる。
【００７１】
さらに、無料通話の電話番号に発信して通話する通話時間、および着信による通話時間が記憶されないので、それらの通話時間が予測の基礎とされない。このため、通話料金の発生する通話時間のみが予測の基礎となるので、最適な料金プランを正確に決定することができる。
【００７２】
なお、上述自他実施の形態においては、携帯通信装置の一例として携帯電話機１を例に説明したが、通信機能を備えたＰＤＡ（Ｐｅｒｓｏｎａｌ  Ｄｉｇｉｔａｌ  Ａｓｓｉｓｔａｎｔｓ）等であってもよく、また、図７〜図９に示した処理を実行するための通話料金算出方法、または通話料金算出方法をコンピュータに実行させるための通話料金算出プログラムとして発明を捉えることができるのは言うまでもない。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７４】
＜付記＞
（１）  前記料金体系が決定されるときに、該決定された料金体系がそれまで設定されている料金体系と異なる場合、前記決定された料金体系への変更を通信事業者に要求する要求手段を、さらに備えた請求項２に記載の携帯通信装置。
（２）  日々のイベントに複数種類のイベントのいずれかを割り当てるイベント登録手段と、
日々の通話時間の累計を計時し、記憶する通話時間記憶手段と、
過去の第１の期間における前記複数種類のイベント毎に、該イベントが割り当てられた日の通話時間から１日当たりの通話時間を決定する実績算出手段と、
前記複数種類のイベント毎に決定された通話時間と、前記記憶手段に記憶された将来の第２の期間おける前記複数種類のイベント毎の日数とから、前記第２の期間における通話時間を予測する予測手段と、を備えた携帯通信装置。
【図面の簡単な説明】
【００７５】
【図１】本発明の実施の形態の１つにおける携帯電話機の外観を示す斜視図である。
【図２】本実施の形態における携帯電話機の機能の一例を示す機能ブロック図である。
【図３】携帯電話機が備える制御部の機能の概要をＥＥＰＲＯＭに記憶するデータとともに示す機能ブロック図である。
【図４】実績レコードのフォーマットの一例を示す図である。
【図５】問い合わせ画面の一例を示す図である。
【図６】料金体系の一例を示す図である。
【図７】イベント登録処理の流れの一例を示すフローチャートである。
【図８】実績管理処理の流れの一例を示すフローチャートである。
【図９】予測処理の流れの一例を示すフローチャートである。
【符号の説明】
【００７６】
１  携帯電話機、１１  第１スピーカ、１２  第２スピーカ、１３  マイクロフォン、１４  操作キー、１５  ＬＣＤ、２１  ＣＰＵ、２２  通信回路、２４  カメラ、２６  通信Ｉ／Ｆ、２７  カードＩ／Ｆ，２７Ａ  フラッシュメモリ、２８  コーデック部、３０  表示制御部、３１  ＥＥＰＲＯＭ、３３  ＲＡＭ、３５  バッテリ、５１  イベント登録部、５３  通話時間計測部、５５  通話時間記憶部、５７  実績算出部、５９  予測部、６１  決定部、７１  イベント情報、７３  通話実績、７５  無料通話番号、７７  料金体系。
【図１】
2009182664.tif 000003
【図２】
2009182664.tif 000004
【図３】
2009182664.tif 000005
【図４】
2009182664.tif 000006
【図５】
2009182664.tif 000007
【図６】
2009182664.tif 000008
【図７】
2009182664.tif 000009
【図８】
2009182664.tif 000010
【図９】
2009182664.tif 000011